(57)【要約】    【課題】  抗菌性、脱臭性、防虫性、遠赤外線放射特性、マイナスイオン発生特性等、複合セラミックの特性と、樹脂の一般的特性とを兼ね備えた製品本体を様々な対象物に取付け可能、又は前記製品本体を線状に加工することで様々な用途に利用可能な複合セラミック樹脂製品を提供する。    【解決手段】  トルマリン、シリカ、ジャモン石、からなる群から選択される少なくとも２種を含んでなる複合セラミック粉体を、樹脂に混合させてなる複合セラミック含有樹脂を主成分とする製品本体１０と、製品本体１０を対象物に取付けるための取付手段と、を備えた複合セラミック樹脂製品１、２、３である。また、製品本体１０をフィルムで包囲して線状にしてなる複合セラミック樹脂製品４である。【選択図】    図１
2005177167.tif 000002
【特許請求の範囲】
【請求項１】
トルマリン、シリカ、ジャモン石、からなる群から選択される少なくとも２種を含んでなる複合セラミック粉体を、樹脂に混合させてなる複合セラミック含有樹脂を主成分とする製品本体と、
当該製品本体を対象物に取付けるための取付手段と、
を備えてなる複合セラミック樹脂製品。
【請求項２】
前記取付手段は、前記製品本体を戦記対象物に対し着脱可能に取付ける請求項１記載の複合セラミック樹脂製品。
【請求項３】
前記取付手段が粘着性部材からなる請求項１または請求項２記載の複合セラミック樹脂製品。
【請求項４】
前記製品本体に、当該製品本体から突出する突出部をさらに設けた請求項１ないし請求項３のいずれか一項に記載の複合セラミック樹脂製品。
【請求項５】
前記製品本体の一部を型材で包囲してなる請求項１ないし請求項４のいずれか一項に記載の複合セラミック樹脂製品。
【請求項６】
前記粘着性部材の露出面に、離型紙をさらに設けた請求項３ないし請求項５のいずれか一項に記載の複合セラミック樹脂製品。
【請求項７】
前記対象物が、繊維製品である請求項１ないし請求項６のいずれか一項に記載の複合セラミック樹脂製品。
【請求項８】
前記対象物が、寝具、衣料品、または装飾品である請求項１ないし請求項７のいずれか一項に記載の複合セラミック樹脂製品。
【請求項９】
トルマリン、シリカ、ジャモン石、からなる群から選択される少なくとも２種を含んでなる複合セラミック粉体を、樹脂に混合させてなる複合セラミック含有樹脂を主成分とする製品本体をフィルムで包囲して線状にしてなる複合セラミック樹脂製品。
【請求項１０】
前記樹脂は、エポキシ系樹脂、ポリウレタン系樹脂、メラミン系樹脂、フェノール系樹脂、ポリエステル系樹脂、シリコン系樹脂、プラスチック系樹脂、からなる群から選択される請求項１ないし請求項９のいずれか一項に記載の複合セラミック樹脂製品。
【請求項１１】
前記複合セラミック粉体が、ルビー、ゲルマニウムの少なくとも一方をさらに含む請求項１ないし請求項１０のいずれか一項に記載の複合セラミック樹脂製品。
【請求項１２】
前記複合セラミック粉体を２５〜５０重量％、前記樹脂を５０〜７５重量％含む請求項１ないし請求項１１のいずれか一項に記載の複合セラミック樹脂製品。
【請求項１３】
前記複合セラミック粉体が、少なくとも一種の希土類元素をさらに含む請求項１ないし請求項１２のいずれか一項に記載の複合セラミック樹脂製品。
【発明の詳細な説明】
【技術分野】
【０００１】
本発明は、複合セラミック樹脂製品にかかり、例えば寝具、衣料品、装飾品等に代表される様々な対象物に取付け可能な複合セラミック樹脂製品、及び線状に加工された複合セラミック樹脂製品に関する。
【背景技術】
【０００２】
従来から、例えば、粒径２μｍ以下のマグネシア微粉末を基礎素材とすると共に、この基礎素材が３５〜６５重量％に対して、単一成分のセラミックである粒径２μｍ以下のγ−アルミナ、硅石、角閃石、ジャモン石、酸化亜鉛、ゼオライトまたは大谷石の微粉末のいずれか一種類を混合剤として、３５〜６５重量％の割合で、前記基礎素材に添加混入した複合セラミックが存在する。（例えば、特許文献１参照）。この複合セラミックは、脱臭作用と抗菌作用を兼ね備えている。
【０００３】
また、特許第２８４０５９９号公報には、基体内に電気石、シリカ、ジャモン石、角閃石の粉末を練り込んだ繊維と、動物蛋白繊維あるいはシルク繊維と、を織り込んで糸とし、これを網目状に織った織物が記載されている。この織物は、放射・保温特性と、脱臭・抗菌特性を備えている。
【０００４】
そしてまた、ジャモン石微粉末、硅石、酸化亜鉛からなる複合セラミックをビスコースに添加混合して得られた複合レーヨンと、牛乳蛋白繊維とを混紡または交撚した加工糸が記載されている。（例えば、特許文献１〜４参照）。この加工糸は、抗菌性、脱臭性及び防虫性を有すると共に、遠赤外線放射特性を有している。
【特許文献１】特許第１８５６７１０号公報
【特許文献２】特許第２８３６０２０号公報
【特許文献３】特許第２８７９０２４号公報
【特許文献４】特許第２９０９０２８号公報
【発明の開示】
【発明が解決しようとする課題】
【０００５】
前記公報に記載の複合セラミックスは、それ単独か、あるいは繊維と混合した繊維製品として提供されるものである。このため、汎用性が限られていた。
【０００６】
本発明は、このような従来の問題点を解決することを課題とするものであり、抗菌性、脱臭性、防虫性、遠赤外線放射特性、マイナスイオン発生特性等、複合セラミックの特性と、樹脂の一般的特性とを兼ね備えた製品本体を、様々な対象物に取付けることができる複合セラミック樹脂製品を提供することを目的とする。
【０００７】
また、本発明は、前述した複合セラミックの特性と、樹脂の一般的特性とを兼ね備えた製品本体を線状に加工することで、様々な用途に利用することができるようにした複合セラミック樹脂製品を提供することを目的とする。
【課題を解決するための手段】
【０００８】
この目的を達成するため、本発明は、トルマリン、シリカ、ジャモン石、からなる群から選択される少なくとも２種を含んでなる複合セラミック粉体を、樹脂に混合させてなる複合セラミック含有樹脂を主成分とする製品本体と、当該製品本体を対象物に取付けるための取付手段と、を備えてなる複合セラミック樹脂製品を提供するものである。
【０００９】
この構成を備えた複合セラミック樹脂製品は、樹脂としての一般的特性と、複合セラミックとしての特性である抗菌性、脱臭性、防虫性、遠赤外線放射特性、マイナスイオン発生特性等を、同時に備えた製品本体を、対象物に簡単に取付けることができる。
【００１０】
前記取付手段としては、前記製品本体を対象物に取付けることが可能であれば特に限定されるものではないが、例えば、樹脂やゴム、両面テープ、一般接着剤等に代表される粘着性部材であってもよく、面ファスナ、安全ピン、ホック、クリップ等であってもよい。
【００１１】
また、本発明にかかる取付手段は、前記製品本体を前記対象物に対し着脱可能に取付けることができる。
【００１２】
そしてまた、本発明にかかる複合セラミック樹脂製品は、前記製品本体に、当該製品本体から突出する突出部をさらに設けることができる。このように構成することで、前記利点に加え、突出部により使用者を押圧することができ、指圧効果を得ることもできる。
【００１３】
さらにまた、本発明にかかる複合セラミック樹脂製品は、前記製品本体の一部を型材で包囲することもできる。
【００１４】
また、本発明では、前記対象物として繊維製品を挙げることができる。さらに具体的には、前記対象物として、寝具、衣料品、または装飾品を挙げることができる。この対象物は、人間の体に接触して使用するものであることが好ましい。
【００１５】
そしてまた、前記粘着性部材の露出面には、離型紙をさらに設けることもできる。このように構成することで、製品本体を取付けたい対象物に、取付けたい時に、いつでも簡単に取付けることができる。
【００１６】
また、本発明は、トルマリン、シリカ、ジャモン石、からなる群から選択される少なくとも２種を含んでなる複合セラミック粉体を、樹脂に混合させてなる複合セラミック含有樹脂を主成分とする製品本体をフィルムで包囲して線状にしてなる複合セラミック樹脂製品を提供するものである。
【００１７】
この線状の複合セラミック樹脂製品は、樹脂としての一般的特性と、複合セラミックとしての特性である抗菌性、脱臭性、防虫性、遠赤外線放射特性、マイナスイオン発生特性等を、同時に備えると共に、これを例えば糸として、様々な物を紡織したり、編んだりすることができる。したがって、樹脂としての一般的特性と、複合セラミックとしての特性を有するインナーや、アウター、あるいは膝掛け、毛布、マフラー、手袋、帽子等の防寒品等、様々な商品を簡単に製作することができる。
【００１８】
前記複合セラミック粉体が混合される樹脂は、エポキシ系樹脂、ポリウレタン系樹脂、メラミン系樹脂、フェノール系樹脂、ポリエステル系樹脂、シリコン系樹脂、プラスチック系樹脂、からなる群から選択することができる。
【００１９】
また、前記複合セラミック粉体は、ルビー、ゲルマニウムの少なくとも一方をさらに含んでいてもよい。
【００２０】
そしてまた、本発明にかかる複合セラミック樹脂製品は、前記複合セラミック粉体を２５〜５０重量％、前記樹脂を５０〜７５重量％含んで構成することもできる。
【００２１】
さらにまた、前記複合セラミック粉体は、少なくとも一種の希土類元素をさらに含むこともできる。
【発明の効果】
【００２２】
本発明にかかる複合セラミック樹脂製品は、抗菌性、脱臭性、防虫性、遠赤外線放射特性、マイナスイオン発生特性等、複合セラミックの特性と、樹脂の一般的特性とを兼ね備えた製品本体を、様々な対象物に取付けることができる。したがって、これらの特性を付与したい部位に、複合セラミック樹脂製品を手軽に簡単に位置させることができる。
【００２３】
また、本発明にかかる複合セラミック樹脂製品は、抗菌性、脱臭性、防虫性、遠赤外線放射特性、マイナスイオン発生特性等、複合セラミックの特性と、樹脂の一般的特性とを兼ね備えた織物や編物等を簡単に提供することができる。
【発明を実施するための最良の形態】
【００２４】
次に、本発明の好適な実施形態にかかる複合セラミック樹脂製品について図面を参照して説明する。なお、以下に記載される実施例は、本発明を説明するための例示であり、本発明をこれらの実施形態にのみ限定するものではない。したがって、本発明は、その要旨を逸脱しない限り、様々な形態で実施することができる。
【実施例１】
【００２５】
図１は、実施例１にかかる複合セラミック樹脂製品の斜視図、図２及び図３は、図１に示す複合セラミック樹脂製品の使用状態を示す斜視図である。
【００２６】
図１に示すように、実施例１にかかる複合セラミック樹脂製品１は、略円板形の製品本体１０と、製品本体１０の一方の面に設けられた取付手段としての粘着剤層１１と、粘着剤層１１の製品本体１０とは反対側の面に設けられた離型紙１２と、を備えて構成されている。
【００２７】
実施例１にかかる製品本体１０は、トルマリン微粉末、ジャモン石微粉末、シリカ微粉末を含んでなる複合セラミック粉体を、エポキシ樹脂に混合させてなる複合セラミック含有樹脂を主成分としている。以下に詳細な製造方法を示す。
【００２８】
粒径５μｍ以下のトルマリン微粉末、ジャモン石微粉末、シリカ微粉末を、トルマリン微粉末：ジャモン石微粉末：シリカ微粉末＝１：２：２〜２：３：３の割合で、混合機及び粉砕機に順次複数回にわたって投入し、これらを混合攪拌及び粉砕して均一に混合する。次に、得られた混合物を、約２００℃〜５００℃の仮焼温度で焼成機により焼成し、複合セラミック粉体を得る。
【００２９】
次に、エポキシ樹脂５０重量％〜７５重量％に、この複合セラミック粉体２５重量％〜５０重量％を添加した複合セラミック含有樹脂１００重量％に対し、硬化剤を１０重量％〜３５重量％の割合で添加する。次いで、これらを攪拌機にて、均一になるよう混合攪拌し、混合液を得る。
【００３０】
次に、得られた混合液を脱泡機にて、真空環境下で約１０分〜１５分程度泡抜きした後、この混合液を１００℃以下の温度（本実施の形態では約７０℃）で硬化させ、製品本体１０を得る。
【００３１】
この構成を備えた複合セラミック樹脂製品１は、樹脂としての一般的特性と、複合セラミックとしての特性である抗菌性、脱臭性、防虫性、遠赤外線放射特性、マイナスイオン発生特性等を、同時に備えている。そして、この複合セラミック樹脂製品１は、離型紙１２を剥がして、例えば、図２に示すように、枕１００の所望位置（例えば、使用者の肩及び首に対応する位置）に、粘着材層１１によって貼り付ける（取付ける）ことができる。この枕１００を使用した使用者は、例えば、肩及び首の位置に複合セラミック樹脂製品１が当たることになるため、皮膚表面温度を上昇させることができ、血流を促進させることができる。また、マイナスイオンには、心身のリラックス、病気や老化に関連する細胞の老化を防ぎ、新陳代謝の活性化を促し、健康を促進する働きがあり、この枕１００を使用した使用者は、この効果を得ることもできる。そしてまた、この枕１００は、複合セラミックの特性である抗菌性、脱臭性、防虫性も兼ね備えることができる。
【００３２】
また、複合セラミック樹脂製品１は、離型紙１２を剥がして、例えば、図３に示すように、敷き布団１１０の所望位置に、粘着材層１１によって貼り付ける（取付ける）こともできる。
【００３３】
そしてまた、複合セラミック樹脂製品１は、下着等の衣服の着用者の肩に対応する位置や、腰に対応する位置等に取付ける等、様々な対象物の所望位置に取付けることができる。また、使用者の皮膚に直接貼り付け（取付け）てもよい。また、サイズを適切にすることで、ネックレスや指輪、ブレスレット等の装飾品の、使用者の皮膚に接触可能な位置に取付けることもできる。
【００３４】
なお、製品本体１０は、前記とは異なった成分であってもよい。例えば、以下に示す方法によって得ることができる。
【００３５】
粒径５μｍ以下のトルマリン微粉末、ジャモン石微粉末を、トルマリン微粉末：ジャモン石微粉末＝１：２〜２：３の割合で、混合機及び粉砕機に順次複数回にわたって投入し、これらを混合攪拌及び粉砕して均一に混合する。次に、得られた混合物を、約２００℃〜５００℃の仮焼温度で焼成機により焼成し、複合セラミック粉体を得る。次に、エポキシ樹脂５０重量％〜７５重量％に、この複合セラミック粉体２５重量％〜５０重量％を添加した複合セラミック含有樹脂１００重量％に対し、硬化剤を１０重量％〜３５重量％の割合で添加する。次いで、これらを攪拌機にて、均一になるよう混合攪拌し、混合液を得る。次いで、得られた混合液を脱泡機にて、真空環境下で約１０分〜１５分程度泡抜きした後、この混合液を１００℃以下の温度（本実施の形態では約７０℃）で硬化させ、製品本体を得る。
【００３６】
あるいは、粒径５μｍ以下のジャモン石微粉末、シリカ微粉末を、ジャモン石微粉末：シリカ微粉末＝１：１の割合で、混合機及び粉砕機に順次複数回にわたって投入し、これらを混合攪拌及び粉砕して均一に混合する。次に、得られた混合物を、約２００℃〜５００℃の仮焼温度で焼成機により焼成し、複合セラミック粉体を得る。次に、エポキシ樹脂５０重量％〜７５重量％に、この複合セラミック粉体２５重量％〜５０重量％を添加した複合セラミック含有樹脂１００重量％に対し、硬化剤を１０重量％〜３５重量％の割合で添加する。次いで、これらを攪拌機にて、均一になるよう混合攪拌し、混合液を得る。次いで、得られた混合液を脱泡機にて、真空環境下で約１０分〜１５分程度泡抜きした後、この混合液を１００℃以下の温度（本実施の形態では約７０℃）で硬化させ、製品本体を得る。
【００３７】
または、粒径５μｍ以下のトルマリン微粉末、シリカ微粉末を、トルマリン微粉末：シリカ微粉末＝１：２〜２：３の割合で、混合機及び粉砕機に順次複数回にわたって投入し、これらを混合攪拌及び粉砕して均一に混合する。次に、得られた混合物を、約２００℃〜５００℃の仮焼温度で焼成機により焼成し、複合セラミック粉体を得る。次に、エポキシ樹脂５０重量％〜７５重量％に、この複合セラミック粉体２５重量％〜５０重量％を添加した複合セラミック含有樹脂１００重量％に対し、硬化剤を１０重量％〜３５重量％の割合で添加する。次いで、これらを攪拌機にて、均一になるよう混合攪拌し、混合液を得る。次いで、得られた混合液を脱泡機にて、真空環境下で約１０分〜１５分程度泡抜きした後、この混合液を１００℃以下の温度（本実施の形態では約７０℃）で硬化させ、製品本体を得る。
【００３８】
なお、実施例１では、トルマリン、シリカ、ジャモン石、からなる群から選択される少なくとも２種を含んでなる複合セラミック粉体について説明したが、これに限らず、例えば、ルビー等所望の他のセラミックをさらに添加してもよい。また、ゲルマニウム、希土類元素等をさらに添加してもよい。
【００３９】
また、実施例１では、複合セラミック粉体を、エポキシ樹脂に混合させてなる複合セラミック含有樹脂について説明したが、これに限らず、複合セラミック粉体は、ポリウレタン系樹脂、メラミン系樹脂、フェノール系樹脂、ポリエステル系樹脂、シリコン系樹脂、プラスチック系樹脂等と混合させてもよい。
【００４０】
そしてまた、実施例１では、略円盤状の製品本体１０について説明したが、これに限らず、製品本体は、直方体、立方体、板状、球状、半球状等、その形状は任意に決定することができる。
【００４１】
さらにまた、実施例１では、取付手段として、粘着剤層１１（粘着性部材）を使用した場合について説明したが、これに限らず、取付手段としては、両面テープ、面ファスナ、安全ピン、ホック、クリップ等、製品本体１０を対象物に取付けることが可能で有れば、特に限定されるものではない。また、何度も付けたり剥がしたりできる接着剤を使用することもできる。
【実施例２】
【００４２】
次に、本発明の実施例２にかかる複合セラミック樹脂製品について図面を参照して説明する。
【００４３】
図４は、実施例２にかかる複合セラミック樹脂製品の斜視図である。なお、実施例２では、実施例１で説明した部材と同様の部材には同一の符号を付し、その詳細な説明は省略する。
【００４４】
図４に示すように、実施例２にかかる複合セラミック樹脂製品２の、実施例１にかかる複合セラミック樹脂製品１と異なる主な点は、製品本体１０の上面の略中央部分から突出した略半球状の突出部１４を備えている点と、製品本体１０の上面以外の部分が、型材１３で包囲されている点である。そして、粘着剤層１１は、型材１３の底面に設けられている。
【００４５】
突出部１４は、球体のほぼ下半分を製品本体１０の上面略中央部分に埋め込むことで形成されている。この突出部１４は、例えば、金属（例えば、金、銀、白金、銅、チタン、アルミニウム等）であってもよく、プラスチック等の樹脂、ゴム等、様々な材料から形成することができる。また、前記球体を埋め込む方法は、特に限定されるものではない。さらに、突出部１４の形状は、押圧したい部位に応じて適宜変更することができる。
【００４６】
型材１３は、製品本体１０が硬化する前の溶融した混合液を流し込む型枠としての役割を果たしてもよく、別途製造し、製品本体１０をこれに挿入させるようにしてもよい。この型材１３は、例えば、金属（例えば、金、銀、白金、銅、チタン、アルミニウム等）であってもよく、プラスチック等の樹脂、ゴム等、様々な材料から形成することができる。しかしながら、型枠としても使用する場合は、前記混合液の溶融温度以上の融点が必要である。
【００４７】
この複合セラミック樹脂製品２は、実施例１の複合セラミック樹脂製品１と同様に、様々な対象物に取付けることができる。さらに、複合セラミック樹脂製品２は、突出部１４を備えており、例えば、この突出部１４で使用者を押圧することができ、指圧効果を得ることもできる。
【実施例３】
【００４８】
次に、本発明の実施例３にかかる複合セラミック樹脂製品について図面を参照して説明する。
【００４９】
図５は、実施例３にかかる複合セラミック樹脂製品の斜視図、図６は、図５に示す複合セラミック樹脂製品の使用状態を示す斜視図、図７は、図６の一部拡大図である。なお、実施例３では、実施例１で説明した部材と同様の部材には同一の符号を付し、その詳細な説明は省略する。
【００５０】
図５に示すように、実施例３にかかる複合セラミック樹脂製品３の、実施例１にかかる複合セラミック樹脂製品１との異なる主な点は、製品本体１０の形状である。すなわち、製品本体１０は、薄い平らなテープ状を備えている。製品本体１０の一方の面には、粘着剤層１１が設けられている。
【００５１】
この複合セラミック樹脂製品３は、例えば、図６及び図７に示すように、ブラジャー１２０の肩紐１２１の内側（使用者の肩に接触する部分）に粘着剤層１１によって取付けられている。
【００５２】
この複合セラミック樹脂製品３が取付けられたブラジャー１２０を装着した使用者は、肩及びその周辺に、複合セラミック樹脂製品３が当たるため、この部分の皮膚表面温度を上昇させることができ、血流を促進させることができる。また、マイナスイオンには、心身のリラックス、病気や老化に関連する細胞の老化を防ぎ、新陳代謝の活性化を促し、健康を促進する働きがあり、このブラジャー１２０を使用した使用者は、この効果を得ることもできる。そしてまた、このブラジャー１２０は、複合セラミックの特性である抗菌性、脱臭性、防虫性も兼ね備えることができる。
【００５３】
なお、実施例３では、複合セラミック樹脂製品３をブラジャーの肩紐１２１に取付けた場合について説明したが、これに限らず、複合セラミック樹脂製品３は、他の対象物の所望位置に取付けることが可能である。
【００５４】
また、実施例３では、粘着剤層１１によって、ブラジャー１２０の肩紐１２１に複合セラミック樹脂製品３を取付けた場合について説明したが、これに限らず、複合セラミック樹脂製品３は、例えば、袋状にした肩紐１２１の中に挿入し、肩紐１２１と共に袋綴じしてもよい。なお、この場合、粘着剤層１１は、必ずしも設けなくてもよい。
【実施例４】
【００５５】
次に、本発明の実施例４にかかる複合セラミック樹脂製品について図面を参照して説明する。
【００５６】
図８は、実施例４にかかる複合セラミック樹脂製品の斜視図、図９は、図８の一部拡大分解図である。なお、実施例４では、実施例１で説明した部材と同様の部材には同一の符号を付し、その詳細な説明は省略する。
【００５７】
図８及び図９に示すように、実施例４にかかる複合セラミック樹脂製品４は、実施例１で説明した製品本体１０を細く延伸し、この製品本体１０のフィルム１４０で挟んで包囲し、糸状にした構成を備えている。
【００５８】
この糸状（線状）の複合セラミック樹脂製品４は、樹脂としての一般的特性と、複合セラミックとしての特性である抗菌性、脱臭性、防虫性、遠赤外線放射特性、マイナスイオン発生特性等を、同時に備えることができる。また、複合セラミック樹脂製品４を用いて、様々な物を紡織したり、編んだりすることができる。したがって、樹脂としての一般的特性と、複合セラミックとしての特性を有するインナーや、アウター、あるいは膝掛け、毛布、マフラー、手袋、帽子等の防寒品等、様々な商品を簡単に製作することができる。
【００５９】
なお、複合セラミック樹脂製品４は、糸状の他、紐状、テープ状等、他の長尺体に加工することもできる。
【図面の簡単な説明】
【００６０】
【図１】本発明の実施例１にかかる複合セラミック樹脂製品の斜視図である。
【図２】図１に示す複合セラミック樹脂製品の使用状態を示す斜視図である。
【図３】図１に示す複合セラミック樹脂製品の使用状態を示す斜視図である。
【図４】本発明の実施例２にかかる複合セラミック樹脂製品の斜視図である。
【図５】本発明の実施例３にかかる複合セラミック樹脂製品の斜視図である。
【図６】図５に示す複合セラミック樹脂製品の使用状態を示す斜視図である。
【図７】図６の一部拡大図である。
【図８】本発明の実施例４にかかる複合セラミック樹脂製品の斜視図である。
【図９】図８の一部拡大分解図である。
【符号の説明】
【００６１】
１、２、３、４    複合セラミック樹脂製品
１０    製品本体
１１    粘着剤層
１２    離型紙
１３    型材
１４    突出部
【図１】
2005177167.tif 000003
【図２】
2005177167.tif 000004
【図３】
2005177167.tif 000005
【図４】
2005177167.tif 000006
【図５】
2005177167.tif 000007
【図６】
2005177167.tif 000008
【図７】
2005177167.tif 000009
【図８】
2005177167.tif 000010
【図９】
2005177167.tif 000011